(57)【要約】【課題】搬送路に面した位置に裏面専用読取センサが設けられ、搬送中の原稿を停止させることなく表面及び裏面読み取る原稿搬送部を有する画像処理装置において、本構成を有しない場合と比較して、定形外のサイズの原稿がカラーか否かの判定を正しく行なう画像処理装置を提供する。【解決手段】原稿の表面及び裏面を読み取る読み取り手段と、原稿を複写して印刷する記録媒体の定型サイズを決定する定型サイズ決定手段と、読み取り手段に読み取られた原稿の裏面画像情報を出力する第１出力手段と、第１出力手段により出力された裏面画像情報を一旦格納し１８０度回転させ、定型サイズ決定手段により決定された定型サイズ分の領域の回転画像情報を出力する第２出力手段と、第１出力手段と第２出力手段のいずれかの出力結果を選択し、定型サイズ決定手段により決定された定型サイズ分の領域の画像がカラー画像であるか否かを検知するカラー検知手段と、を有する。【選択図】図４
2010154068.tif 000002
【特許請求の範囲】
【請求項１】
原稿台に置かれた原稿から、当該原稿の表面及び裏面を読み取る読み取り手段と、
前記原稿を複写して印刷する記録媒体の定型サイズを決定する定型サイズ決定手段と、
前記読み取り手段に読み取られた原稿の裏面画像情報を出力する第１出力手段と、
前記第１出力手段により出力された裏面画像情報を一旦格納し１８０度回転させ、前記定型サイズ決定手段により決定された定型サイズ分の領域の回転画像情報を出力する第２出力手段と、
前記第１出力手段と第２出力手段のいずれかの出力結果を選択し、定型サイズ決定手段により決定された定型サイズ分の領域の画像がカラー画像であるか否かを検知するカラー検知手段と、
を有する画像処理装置。
【請求項２】
前記カラー検知手段は、前記裏面画像を前記記録媒体に印刷する場合には、前記裏面画像がカラー画像であるか否かを検知する請求項１に記載の画像処理装置。
【請求項３】
前記カラー検知手段は、前記回転画像を前記記録媒体に印刷する場合には、前記回転画像がカラー画像であるか否かを検知する請求項１又は請求項２に記載の画像処理装置。
【請求項４】
前記カラー検知手段は、前記裏面画像情報が非可逆圧縮されている画像情報の場合には、該裏面画像情報が非可逆圧縮されていない場合と比較して、検知精度を高くする請求項３に記載の画像処理装置。
【請求項５】
前記原稿の実際の副走査方向のサイズを検知する実サイズ検知手段を更に有し、
前記カラー検知手段は、前記実サイズ検知手段による検知結果が、前記読み取り手段により裏面の読み取りが開始される前に判明した場合には、前記裏面画像がカラー画像であるか否かを検知し、前記実サイズ検知手段による検知結果が、前記読み取り手段により裏面の読み取りが開始された後に判明した場合には、前記回転画像がカラー画像であるか否かを検知する請求項１〜請求項４のいずれか１項に記載の画像処理装置。
【請求項６】
原稿台に置かれた原稿から、当該原稿の表面及び裏面を読み取る読み取り手段と、
前記原稿を複写して印刷する記録媒体の定型サイズを決定する定型サイズ決定手段と、
前記読み取り手段に読み取られた原稿の裏面画像情報を出力する第１出力手段と、
前記裏面画像が原稿を複写して印刷する際に用いられる画像の場合に、前記裏面画像の前記定型サイズ決定手段により決定された定型サイズ分の領域の画像がカラー画像であるか否かを検知する第１カラー検知手段と、
前記第１出力手段により出力された裏面画像情報に対応する裏面画像を一旦格納し１８０度回転させ、前記定型サイズ決定手段により決定された定型サイズ分の領域の回転画像情報を出力する第２出力手段と、
前記回転画像が原稿を複写して印刷する際に用いられる画像の場合に、前記回転画像の前記定型サイズ決定手段により決定された定型サイズ分の領域の画像がカラー画像であるか否かを検知する第２カラー検知手段と、
を有する画像処理装置。
【請求項７】
前記第２カラー検知手段は、前記裏面画像情報が非可逆圧縮されている画像情報の場合には、該裏面画像情報が非可逆圧縮されていない場合と比較して、検知精度を高くする請求項６に記載の画像処理装置。
【請求項８】
前記原稿の実際の副走査方向のサイズを検知する実サイズ検知手段を更に有し、
前記カラー検知手段は、前記実サイズ検知手段による検知結果が、前記読み取り手段により裏面の読み取りが開始される前に判明した場合には、前記第１カラー検知手段が前記裏面画像がカラー画像であるか否かを検知し、前記実サイズ検知手段による検知結果が、前記読み取り手段により裏面の読み取りが開始された後に判明した場合には、前記第２カラー検知手段が前記回転画像がカラー画像であるか否かを検知する請求項６又は請求項７のいずれか１項に記載の画像処理装置。
【発明の詳細な説明】
【技術分野】
【０００１】
本発明は、画像処理装置に関する。
【背景技術】
【０００２】
搬送路に沿って原稿を１枚ずつ搬送する原稿搬送部が設けられた画像処理装置の中には、搬送路（原稿走行面）に面した位置にＣＩＳ（Contact Image Sensor／密着型イメージセンサ）等の裏面専用読取センサを設け、搬送中の原稿を停止させることなく表裏同時にスキャンするものがある。
【０００３】
このような原稿搬送部が設けられた画像処理装置では、画像処理専用ＩＣで画像処理を裏面の画像に施した後に一旦メモリにストックし、表面画像をコントローラに送信した後に、ページメモリに格納されている裏面画像を読出しコントローラに送信するケースが多い。
【０００４】
このページメモリ読出し時に、裏面画像は原稿の「天の向き」や「見開き方向」によっては画像を１８０度回転させて出力させる必要がある。これは出力コピーの配置や向きを最適化しユーザにとって見やすい状態にする為である。
【０００５】
またカラー読取装置では原稿が白黒であるか、カラーであるか自動的に判断を行なうACS（Auto Color Selection）検知も行なわれる。
【０００６】
特許文献１には、不定形サイズやサイズ混載時の原稿に対して、後端部からライン単位設定可能なエリアに対して有彩色／無彩色などの誤判定を防ぐ技術が開示されている。
【特許文献１】特開２００６−２９５８８４号公報
【発明の開示】
【発明が解決しようとする課題】
【０００７】
本発明は、搬送路に面した位置に裏面専用読取センサが設けられ、搬送中の原稿を停止させることなく表面及び裏面を読み取る原稿搬送部を有する画像処理装置において、定形外のサイズの原稿がカラーか否かの判定を正しく行なう画像処理装置を提供することを目的とする。
【課題を解決するための手段】
【０００８】
上記目的を達成するために、請求項１の発明は、原稿台に置かれた原稿から、当該原稿の表面及び裏面を読み取る読み取り手段と、前記原稿を複写して印刷する記録媒体の定型サイズを決定する定型サイズ決定手段と、前記読み取り手段に読み取られた原稿の裏面画像情報を出力する第１出力手段と、前記第１出力手段により出力された裏面画像情報を一旦格納し１８０度回転させ、前記定型サイズ決定手段により決定された定型サイズ分の領域の回転画像情報を出力する第２出力手段と、前記第１出力手段と第２出力手段のいずれかの出力結果を選択し、定型サイズ決定手段により決定された定型サイズ分の領域の画像がカラー画像であるか否かを検知するカラー検知手段と、を有する。
【０００９】
また、請求項２の発明は、請求項１の発明において、前記カラー検知手段は、前記裏面画像を前記記録媒体に印刷する場合には、前記裏面画像がカラー画像であるか否かを検知するものである。
【００１０】
また、請求項３の発明は、請求項１又は請求項２の発明において、前記カラー検知手段は、前記回転画像を前記記録媒体に印刷する場合には、前記回転画像がカラー画像であるか否かを検知するものである。
【００１１】
また、請求項４の発明は、請求項３の発明において、前記カラー検知手段は、前記裏面画像情報が非可逆圧縮されている画像情報の場合には、該裏面画像情報が非可逆圧縮されていない場合と比較して、検知精度を高くするものである。
【００１２】
また、請求項５の発明は、請求項１〜請求項４のいずれか１項の発明において、前記原稿の実際の副走査方向のサイズを検知する実サイズ検知手段を更に有し、前記カラー検知手段は、前記実サイズ検知手段による検知結果が、前記読み取り手段により裏面の読み取りが開始される前に判明した場合には、前記裏面画像がカラー画像であるか否かを検知し、前記実サイズ検知手段による検知結果が、前記読み取り手段により裏面の読み取りが開始された後に判明した場合には、前記回転画像がカラー画像であるか否かを検知するものである。
【００１３】
上記目的を達成するために、請求項６の発明は、原稿台に置かれた原稿から、当該原稿の表面及び裏面を読み取る読み取り手段と、前記原稿を複写して印刷する記録媒体の定型サイズを決定する定型サイズ決定手段と、前記読み取り手段に読み取られた原稿の裏面画像情報を出力する第１出力手段と、前記裏面画像が原稿を複写して印刷する際に用いられる画像の場合に、前記裏面画像の前記定型サイズ決定手段により決定された定型サイズ分の領域の画像がカラー画像であるか否かを検知する第１カラー検知手段と、前記第１出力手段により出力された裏面画像情報に対応する裏面画像を一旦格納し１８０度回転させ、前記定型サイズ決定手段により決定された定型サイズ分の領域の回転画像情報を出力する第２出力手段と、前記回転画像が原稿を複写して印刷する際に用いられる画像の場合に、前記回転画像の前記定型サイズ決定手段により決定された定型サイズ分の領域の画像がカラー画像であるか否かを検知する第２カラー検知手段と、を有する。
【００１４】
また、請求項７の発明は、請求項６の発明において、前記第２カラー検知手段は、前記裏面画像情報が非可逆圧縮されている画像情報の場合には、該裏面画像情報が非可逆圧縮されていない場合と比較して、検知精度を高くするものである。
【００１５】
また、請求項８の発明は、請求項６又は請求項７の発明において、前記原稿の実際の副走査方向のサイズを検知する実サイズ検知手段を更に有し、前記カラー検知手段は、前記実サイズ検知手段による検知結果が、前記読み取り手段により裏面の読み取りが開始される前に判明した場合には、前記第１カラー検知手段が前記裏面画像がカラー画像であるか否かを検知し、前記実サイズ検知手段による検知結果が、前記読み取り手段により裏面の読み取りが開始された後に判明した場合には、前記第２カラー検知手段が前記回転画像がカラー画像であるか否かを検知するものである。
【発明の効果】
【００１６】
請求項１又は請求項６の発明によれば、搬送路に面した位置に裏面専用読取センサが設けられ、搬送中の原稿を停止させることなく表面及び裏面読み取る原稿搬送部を有する画像処理装置において、本構成を有しない場合と比較して、定形外のサイズの原稿がカラーか否かの判定を正しく行なう画像処理装置を提供することができる。
【００１７】
請求項２、請求項３の発明によれば、記録媒体に印刷する画像に対してカラー画像か否かを検知するので、本構成を有しない場合と比較して、定形外のサイズの原稿がカラーか否かの判定を正しく行なう画像処理装置を提供することができる。
【００１８】
請求項４、請求項７の発明によれば、非可逆圧縮した場合は、カラー画像の解像度が落ちるため、カラーが増加否かの判定精度を高めることで、本構成を有しない場合と比較して、定形外のサイズの原稿がカラーか否かの判定を正しく行なう画像処理装置を提供することができる。
【００１９】
請求項５、請求項８の発明によれば、実サイズ検知手段による検知結果が、前記読み取り手段により裏面の読み取りが開始される前に判明した場合には、本構成を有しない場合と比較して、より迅速にカラー画像であるか否かの検知を行なうことができる。
【発明を実施するための最良の形態】
【００２０】
以下、図面を参照して、本発明の実施の形態について詳細に説明する。
【００２１】
まず、図１を参照して、本実施の形態に係る画像処理装置１０の全体構成を説明する。
【００２２】
同図に示すように、画像処理装置１０は、原稿搬送部１２と画像読取部１４とを備えている。
【００２３】
原稿搬送部１２は、画像が記録された原稿１８が置かれる原稿台２０を備えており、原稿台２０に置かれた原稿１８は、一枚ずつ取り出しロール２２で取り出され、原稿搬送路２４へ送られる。
【００２４】
原稿搬送路２４に送られた原稿１８は、搬送ロール対２６によって画像読取部１４による表面読取位置まで搬送され、表面を画像読取部１４で読み取られた後、表面読取位置よりも搬送方向下流側に設置されている裏面画像読取部２８に搬送され、裏面を裏面画像読取部２８で読み取られた後、排紙部３０に排紙される。
【００２５】
また、裏面画像読取部２８は、原稿を読み取るための読み取り面２８Ａが原稿搬送路側に設けられ、原稿１８に対して照明光を照射する主走査方向に沿って配列された複数の発光素子を備えた光源と、光源により照明された原稿１８を複数の画素に分割して測光し、画素毎に測光した画素値に応じた画素値情報を出力するラインセンサとを含む。
【００２６】
なお、上述した原稿搬送部１２と画像読取部１４は、図示しない支軸を中心に原稿搬送部１２が画像読取部１４の上方へ開閉可能とされている。すなわち、一般の画像形成装置のように、原稿搬送部１２の下面が利用者に露出される状態となる仕組みとなっている。更に、原稿搬送部１２には、定型サイズ検知センサ４６が設けられている。定型サイズ検知センサ４６は、原稿のサイズから、そのサイズに最も適合する定型サイズを検知し、その検知結果から後述するコントローラが原稿を複写して印刷する記録媒体の定型サイズを決定することとなる。
【００２７】
画像読取部１４は、上面に原稿１８を置くことが可能とされている透明なプラテンガラス３２を備えており、上記表面読取位置はプラテンガラス３２の上面に位置している。
【００２８】
表面読取位置におけるプラテンガラス３２の下側には、原稿１８の表面に向けて照明光を照射する光源３４と、原稿１８の表面で反射した反射光を受ける第１反射ミラー３６、第１反射ミラー３６で受けた反射光の進行方向を９０°曲げるための第２反射ミラー３８、第２反射ミラー３８で受けた反射光の進行方向をさらに９０°曲げるための第３反射ミラー４０とが備えられている。
【００２９】
また、画像読取部１４は、レンズ４２と、複数の画素を備えた光検出部４４とを備えており、画像読取部１４は、第３反射ミラー４０で反射された反射光を、レンズ４２によって光検出部４４に結像させることで、原稿１８の表面を読み取る。原稿台に置かれた原稿から、当該原稿の表面及び裏面を読み取るものが、上記光検出部４４及び裏面画像読取部２８となっている。
【００３０】
なお、本実施の形態に係る画像処理装置１０は、光源３４として蛍光ランプを適用するが、これに限らず、原稿１８の搬送方向と交差する方向に沿って配列された複数のＬＥＤ（Light Emitting Diode）等、他の光源を適用しても良い。
【００３１】
また、本実施の形態に係る画像処理装置１０では、光検出部４４として複数のＣＣＤ（Charge Coupled Device）で構成されるＣＣＤラインセンサを適用するが、これに限らず、ＣＭＯＳ（Complementary Metal-Oxide Semiconductor）イメージセンサ等の固体撮像素子を適用しても良い。
【００３２】
なお、本実施の形態に係る画像処理装置１０は、光源３４、第１反射ミラー３６、第２反射ミラー３８、及び第３反射ミラー４０が図１の矢印Ｃ方向に移動可能とされている。これにより、原稿搬送部１２が画像読取部１４の上方へ開けられ、プラテンガラス３２の上面に原稿１８が置かれた場合に、光源３４から照明光を原稿１８に向けて照射しつつ、矢印Ａ方向へ光源３４、第１反射ミラー３６、第２反射ミラー３８、及び第３反射ミラー４０を移動させることで、上記原稿１８に記録された画像を読み取ることが可能とされている。
【００３３】
次に、図２を用いて画像処理装置１０のハードウェア構成について説明する。画像処理装置１０は、主にコントローラ５０、画像読取制御部５２、原稿搬送部制御部５４、裏面画像読取制御部５６、ＣＣＤ５８、及びＵＩ（User Interface）６０で構成されている。
【００３４】
このうち、コントローラ５０は、画像処理装置１０全体の制御を行う。また、コントローラ５０は、画像読取制御部５２及び裏面画像読取制御部５６から画像信号を受信し、ＵＩ６０からは利用者の指示等が入力される。また、ＵＩ６０は、利用者に対して情報を表示するための表示画面を有する。更に、コントローラ５０には、出力切替部９０が設けられている。この出力切替部９０の詳細については後述する。
【００３５】
画像読取制御部５２は、この画像処理装置１０における画像の読取処理全体を制御するもので、原稿搬送部制御部５４、裏面画像読取制御部５６、ＣＣＤ５８、走査制御部７２、及び照明制御部７６等の制御を行う。
【００３６】
具体的に、画像読取制御部５２は、コントローラ５０からの読取指示に従い、原稿表面側の画像読取を制御し、画像処理を施した上でコントローラ５０に画像を送る機能を持つ。
【００３７】
また、画像読取制御部５２は、表面ＲＯＭ（Read Only Memory）６８にアクセス可能となっている。表面ＲＯＭ６８は、原稿の表面を読み取るための各種プログラムやそのときに用いられる各種情報等が記憶されている。
【００３８】
更に、画像読取制御部５２は、表面画像読み取り処理部９４が設けられている。これらの詳細については後述する。
【００３９】
なお、走査制御部７２は、原稿を読み取る際の走査に関する制御を行うものであり、モーター７４の制御も行う。このモーター７４は、図１で説明した光源３４と各種ミラーを一体的に移動させるモーターである。また、照明制御部７６は、光源３４を含むランプ７８を制御するものである。
【００４０】
原稿搬送部制御部５４は、原稿搬送部１２を制御するものであり、上述したロール２２や搬送ロール対２６を回転させるための各モーター６６を制御する各ローラ制御部６４、及び各センサ６２からの情報を受信する。
【００４１】
更に裏面画像読取制御部５６は、画像読取制御部５２からの指示で、裏面画像読取部２８に含まれる裏面密着センサ８０を制御するものであり、裏面側の読取制御を行い、画像処理を施した上でコントローラ５０に画像情報を送る機能を持つ。
【００４２】
更に、裏面画像読取制御部５６は、裏面ＲＯＭ８２にアクセス可能となっている。この、裏面ＲＯＭ８２には、裏面画像読取制御部５６を動作させるためのプログラム等が記憶されている。
【００４３】
また、裏面画像読取制御部５６は、裏面画像読み取り処理部８４、ページメモリ制御部８６、及びページメモリ８８が設けられている。これらの詳細については後述する。
【００４４】
次に、上述した構成のうち、本実施の形態に特に関わる主要構成について説明する。この構成は３種類あり、それぞれ後述するＡＣＳ部の配置が異なっている。
【００４５】
まず、図３を用いて主要構成（その１）について説明する。同図に示される裏面密着センサ８０は、読み取り手段に読み取られた原稿の裏面の画像である裏面画像に対応する裏面画像情報を出力する。裏面密着センサ８０で読み取られた裏面画像情報は、裏面画像読み取り処理部８４に出力される。読み取られた原稿の裏面の画像である裏面画像に対応する裏面画像情報を出力する画像処理部９６により画像処理が行なわれる。画像処理部９６は、画像処理した裏面画像情報をページメモリ制御部８６に出力する。
【００４６】
ページメモリ制御部８６は、ページメモリ８８に画像処理部９６により出力された画像情報を記憶する。そして、ページメモリ制御部８６は、画像処理部９６により出力された裏面画像情報を一旦格納し１８０度回転させ、決定された定型サイズ分の領域の回転画像情報を出力する。今の場合、上記定型サイズ検知センサ４６の検知結果から原稿を複写して印刷する記録媒体の定型サイズが決定されているものとする。
【００４７】
ＡＣＳ部１０２は、ページメモリ制御部８６から出力された回転画像情報を示す回転画像のうち、決定された定型サイズ分の領域の画像がカラー画像であるか否かを検知する。
【００４８】
一方、ＣＣＤ５８により読み取られた表面画像を示す表面画像情報は、表面画像読み取り処理部９４により画像処理が行なわれる。
【００４９】
出力切替部９０は、ページメモリ８８に記憶された裏面画像情報、及び表面画像読み取り処理部９４からの表面画像情報のうちのいずれか一方をコントローラ５０に出力するものである。コントローラ５０に出力される画像情報が実際に記録媒体に印刷される画像を示す情報である。従って、ＡＣＳ部１０２で実施するＡＣＳ検知の領域は、実際に印刷される画像領域と一致することとなる。
【００５０】
次に、主要構成（その２）を、図４を用いて説明する。図４に示される構成は、図３に示した構成と異なり、ＡＣＳ部９８が裏面画像読み取り処理部８４の中に配置され、更に選択部１００が加わった構成となっている。
【００５１】
選択部１００は、画像処理部９６から出力された裏面画像情報、及びページメモリ制御部８６から出力された回転画像情報のうちのいずれか出力結果を選択し、一方の画像情報をＡＣＳ部９８に出力するものである。
【００５２】
従って、ＡＣＳ部９８は、１８０度回転処理を施さない裏面画像を記録媒体に印刷する場合には、裏面画像の定型サイズ分の領域がカラー画像であるか否かを検知し、１８０度回転処理を施す回転画像を記録媒体に印刷する場合には、回転画像の定型サイズ分の領域がカラー画像であるか否かを検知する。従ってＡＣＳ部９８で実施するＡＣＳ検知の領域は、実際に印刷される画像領域と一致することになる。
【００５３】
次に、主要構成（その３）を、図５を用いて説明する。図５に示される構成は、２つのＡＣＳ部９８、１０２が設けられた構成となっている。このうち、ＡＣＳ部９８は、１８０度回転処理を施さない裏面画像を記録媒体に印刷する場合に画像の定型サイズ分の領域がカラー画像であるか否かを検知する。一方、ＡＣＳ部１０２は、１８０度回転を施す回転画像を記録媒体に印刷する場合に回転画像の定型サイズ部の領域がカラー画像であるか否かを検知する。
【００５４】
以上が本実施の形態に特に関わる主要構成の３つの例である。以下、具体的な処理に関する説明を行なう。まず、原稿搬送部１２で裏面画像を読み取った場合に一般的に行なわれる処理について、図６を用いて説明する。
【００５５】
図６には、表面にＦ、裏面にＲと描かれた原稿が原稿搬送部１２にセットされている状態と、表面読み取り画像、裏面読み取り画像、表面出力画像、及び裏面出力画像が示されている。このうち、表面読み取り画像及び裏面読み取り画像は、それぞれ原稿の表面及び裏面をスキャンして読み取られた画像を示している。また、表面出力画像及び裏面出力画像は、それぞれ記録媒体の表面及び裏面に印刷される画像を示している。
【００５６】
同図に示されるように、原稿搬送部１２で裏面を読み取る場合には、表面読み取り画像を鏡像反転した画像を表面出力画像とし、裏面読み取り画像を１８０度回転した画像を裏面出力画像としている。
【００５７】
次に、図７を用いて、上記ＡＣＳ部がカラーであるか否かを検知する検知領域について説明する。同図には、定型サイズの原稿から読み取られた画像の場合（Ａ）と、定型サイズより大きめの定型外サイズの原稿から読み取られた画像の場合（Ｂ）とが示されている。
【００５８】
ＡＣＳ部の検知領域はいずれの場合も網掛け領域である。従って、ＡＣＳ部は、決定された定型サイズ分の領域の画像がカラー画像であるか否かを検知するものとなっている。その結果、（Ｂ）において、検知領域以外にカラー画像が存在した場合には、白黒画像と誤判定することとなる。
【００５９】
次に、ページメモリ制御部８６における、１８０度回転した画像を示す画像情報の出力方法について説明する。なお、以下の説明において、単にメモリと表現した場合には、ページメモリ８８を示すものとする。
【００６０】
図８には、メモリ領域と、メモリ領域において画像情報が書き込まれる領域とが示されている。そして、同図（Ａ）はメモリ書き込み時を示し、同図（Ｂ）はメモリ読み出し時を示している。
【００６１】
同図（Ａ）に示されるように、ページメモリ制御部８６は、定型主走査幅で、実際の原稿の副走査幅で読み込まれた画像情報の書き込みを開始する。一方、メモリ読み出し時、ページメモリ制御部８６は、前記書込み時の最終画素位置から逆方向に読み出しを開始する。しかも、ページメモリ制御部８６は、定型主走査幅で読み出しを終えるため、読み出されない領域（出力されない領域）が存在する。
【００６２】
この方法で画像情報を出力する場合に発生する不具合例（その１）について、図９を用いて説明する。
【００６３】
図９には、表面にＦ、裏面にＲと描かれた定型サイズよりも大きめの原稿が原稿搬送部１２にセットされている状態（「天を上」にして原稿を置き、「左右開き」を指示）と、表面読み取り画像、裏面読み取り画像、表面出力画像、及び裏面出力画像が示されている。このうち、表面読み取り画像及び裏面読み取り画像は、それぞれ原稿の表面及び裏面をスキャンして読み取られた画像を示している。また、表面出力画像及び裏面出力画像は、それぞれ記録媒体の表面及び裏面に印刷される画像を示している。また、ＡＣＳ部がカラー否か検知するＡＣＳ検知領域と、ページメモリ制御部８６により出力される出力領域とが示されている。更に、同図において、図中の星印はカラーとなっている。
【００６４】
同図に示されるように、表面画像は鏡像反転のため、ＡＣＳ部検知領域と出力領域とが一致するため問題はない。ところが、裏面画像は１８０度回転されるため、同図に示されるように、ＡＣＳ部検知領域と出力領域とが一致しないため、裏面読み取り画像（ＡＣＳ検知領域に星印が含まれない）と裏面出力画像（ＡＣＳ検知領域に星印が含まれる）のＡＣＳ部の検知結果が異なることとなる。この場合、裏面読み取り画像でＡＣＳ部による検知を行なうと、検知結果は白黒となるが、実際に印刷された記録媒体には、カラーが含まれることとなるため、カラーを白黒と誤判定して白黒印刷することとなる。
【００６５】
これを解決するために、上述した３種類の構成では、１８０度回転処理を施した裏面画像に対してＡＣＳ部による検知を行なう。具体的に、主要構成（その１）、主要構成（その３）では、ＡＣＳ部１０２が検知するように制御する。主要構成（その２）では、選択部１００がページメモリ制御部８６から出力された回転画像情報を選択することで、ＡＣＳ部９８が検知を行なうように制御する。
【００６６】
この制御により、図１０の裏面出力画像に示されるように、ＡＣＳ部検知領域と出力領域とを一致させる。
【００６７】
次に、不具合例（その２）について、図１１を用いて説明する。図１１には、表面にＦ、裏面にＲと描かれた原稿が原稿搬送部１２にセットされている状態（「天を下」にして原稿を置き、「左右開き」を指示）と、表面読み取り画像、裏面読み取り画像、表面出力画像、及び裏面出力画像が示されている。このうち、表面読み取り画像及び裏面読み取り画像は、それぞれ原稿の表面及び裏面をスキャンして読み取られた画像を示している。また、表面出力画像及び裏面出力画像は、それぞれ記録媒体の表面及び裏面に印刷される画像を示している。また、ＡＣＳ部がカラー否か検知するＡＣＳ部検知領域と、ページメモリ制御部８６により出力される出力領域とが示されている。更に、同図において、図中の星印はカラーとなっている。
【００６８】
同図に示されるように、表面画像は鏡像反転のため、ＡＣＳ部検知領域と出力領域とが一致するため問題はない。ところが、裏面画像は１８０度回転されるため、同図に示されるように、ＡＣＳ部検知領域と出力領域とが一致しないため、裏面読み取り画像（ＡＣＳ検知領域に星印が含まれる）と裏面出力画像（ＡＣＳ検知領域に星印が含まれない）のＡＣＳ部の検知結果が異なることとなる。この場合、裏面読み取り画像でＡＣＳ部による検知を行なうと、検知結果はカラーとなるが、実際に印刷された記録媒体には、カラーが含まれないこととなるため、白黒をカラーと誤検知してカラー印刷することとなる。
【００６９】
これを解決するために、上述した３種類の構成では、１８０度回転処理を施した裏面画像に対してＡＣＳ部による検知を行なう。具体的に、主要構成（その１）、主要構成（その３）では、ＡＣＳ部１０２が検知するように制御する。主要構成（その２）では、選択部１００がページメモリ制御部８６から出力された回転画像情報を選択することで、ＡＣＳ部９８が検知を行なうように制御する。
【００７０】
この制御により、図１２の裏面出力画像に示されるように、ＡＣＳ部検知領域と出力領域とを一致させる。
【００７１】
なお、ページメモリ８８の容量軽減の為、解像度を落としデータ量を減らして記憶する場合がある。この非可逆圧縮をする場合、ページメモリ制御部８６により読み出される回転画像情報は、解像度が低い画像を示す画像情報である為、色細線等に対してＡＣＳ部の誤判定が生じる可能性が高くなる。
【００７２】
この時、ＡＣＳ部の検知精度を確保する為に、ＡＣＳ部に用いられるパラメータを、検知精度を高めるパラメータに変更する。また１８０度回転した場合、ＡＣＳ部による検知の向きが変わるので（図８参照）、向きに依存するパラメータも変更する必要がある。すなわち、非可逆圧縮されている画像情報の場合には、裏面画像情報が非可逆圧縮されていない場合と比較して、検知精度を高くするように制御する。
【００７３】
具体的に、主要構成（その１）、主要構成（その３）では、ＡＣＳ部１０２の検知精度を高めるように制御する。主要構成（その２）では、選択部１００がページメモリ制御部８６から出力された回転画像情報を選択した際に、ＡＣＳ部９８の検知精度を高めるように制御する。
【００７４】
なお、実サイズが読取前に分からない場合であっても、まず、裏面画像でＡＣＳ検知を実施するようにしてもよい。これは、後に実サイズが検知され、その実サイズが定型サイズ、又はほぼ定型サイズの場合には、裏面画像でＡＣＳ検知を行なっても誤検知は発生せず、その結果、回転画像でＡＣＳ検知を行なうより早く、また精度よくＡＣＳ検知結果を得ることができるためである。
【００７５】
次に、原稿の実際の副走査方向のサイズ（副走査長）が、裏面の読み取りが開始される前に判明することがある場合について説明する。例えば原稿搬送部１２が大きな装置の場合、搬送路が長くなるため、裏面の読み取りが開始される前に判明することがあり得る。
【００７６】
なお、主要構成１の場合は、ページメモリ制御部８６から出力された回転画像情報に対して検知するものであるので、判明の後先は無関係となる。
【００７７】
裏面の読み取りが開始される前に判明する場合、読取前に原稿後端の位置が確定する為、予め出力領域と一致したＡＣＳ検知領域を設定できる。そのため主要構成（その２）では、選択部１００が、画像処理部９６から出力された裏面画像情報を選択するようにし、ＡＣＳ部９８は、裏面画像がカラー画像であるか否かを検知する。
【００７８】
同じく裏面の読み取りが開始される前に判明する場合、主要構成（その３）では、ＡＣＳ部９８が画像処理部９６から出力された裏面画像情報が示す裏面画像がカラー画像であるか否かを検知する。
【００７９】
一方、裏面の読み取りが開始された後に判明する場合、読取前に原稿後端の位置が確定しない為、予め出力領域と一致したＡＣＳ検知領域を設定できない。そのため主要構成（その２）では、選択部１００が、ページメモリ制御部８６から出力された回転画像情報を選択するようにし、ＡＣＳ部９８は、回転画像がカラー画像であるか否かを検知する。
【００８０】
同じく裏面の読み取りが開始された後に判明する場合、主要構成（その３）では、ＡＣＳ部１０２がページメモリ制御部８６から出力された回転画像情報が示す回転画像がカラー画像であるか否かを検知する。
【００８１】
このことを、具体的に図１３、図１４のタイミングチャートを用いて説明する。図１３は、裏面の読み取りが開始される前に判明する場合のタイミングチャートを示しており、図１４は、裏面の読み取りが開始された後に判明する場合のタイミングチャートを示している。
【００８２】
また、いずれの図においても、表面画像副走査長、メモリ書き込み長としての裏面画像副走査長、メモリ書き込み時のＡＣＳ部検知領域、ページメモリ制御部８６から出力される回転画像情報長である裏面メモリ読み出し長、及びメモリ読み出し時のＡＣＳ部検知領域における書き込み或いは読み出しのタイミングが示されている。
【００８３】
図１３においては、「原稿副走査長確定」に示されるように、裏面の読み取りが開始される前に原稿後端位置が判明するので、ＡＣＳ検知領域は、ページメモリ書き込み開始前である「検知領域設定１」時に、実際に印刷される画像を示すメモリ領域に設定されることとなる。従って、裏面画像副走査長に示されるメモリに書き込みが開始されるタイミングから、図８に示した「読み込まれない領域」の書き込みが終わった後に、ＡＣＳ部９８によりカラーか否かの検知が開始され、検知結果が確定する。
【００８４】
一方、図１４においては、「原稿副走査長確定」に示されるように、裏面の読み取りが開始された後に判明するので、ＡＣＳ検知領域は、「検知領域設定１」時に、書き込み時の先頭画素位置から所定のサイズ分設定されることとなる。従って、裏面画像副走査長に示されるメモリに書き込みが開始されるタイミングから検知が開始され、その領域における検知結果が確定する。この場合、図８に示した「読み込まれない領域」が検知領域となり、出力領域と異なる領域を検知することとなる。従って、ページメモリ制御部８６に書込みが終了し原稿副走査長が確定した直後の「検知領域設定２」時に、書き込み時の最終画素位置から所定のサイズ分をＡＣＳ検知領域として設定する。主要構成（その２）ではＡＣＳ部９８、主要構成（その３）では、ＡＣＳ部１０２に上記の設定を実施する。この時主要構成(その２)では選択部１００でページメモリ制御部８６の出力を選択する。ページメモリ制御部８６の出力によってカラーか否かの検知結果が確定する。
【図面の簡単な説明】
【００８５】
【図１】実施の形態に係る画像処理装置の全体構成を示す図である。
【図２】画像処理装置のハードウェア構成を示す図である。
【図３】主要構成（その１）を示す図である。
【図４】主要構成（その２）を示す図である。
【図５】主要構成（その３）を示す図である。
【図６】原稿搬送部で裏面画像を読み取った場合に一般的に行なわれる処理例を示す模式図である。
【図７】ＡＣＳ部がカラーであるか否かを検知する検知領域を示す図である。
【図８】メモリ領域とメモリ領域において画像情報が書き込まれる領域とを示す図である。
【図９】不具合例（その１）を示す図である。
【図１０】ＡＣＳ部検知領域と出力領域とが一致したことを示す図である。
【図１１】不具合例（その２）を示す図である。
【図１２】ＡＣＳ部検知領域と出力領域とが一致したことを示す図である。
【図１３】裏面の読み取りが開始される前に実際の副走査長が判明する場合のタイミングチャートを示す図である。
【図１４】裏面の読み取りが開始された後に実際の副走査長が判明する場合のタイミングチャートを示す図である。
【符号の説明】
【００８６】
１０  画像処理装置
１２  原稿搬送部
１４  画像読取部
２０  原稿台
２４  原稿搬送路
２８  裏面画像読取部
４４  光検出部
４６  定型サイズ検知センサ
５０  コントローラ
５２  画像読取制御部
５４  原稿搬送部制御部
５６  裏面画像読取制御部
８０  裏面密着センサ
８４  裏面読み取り処理部
８６  ページメモリ制御部
８８  ページメモリ
９０  出力切替部
９４  表面画像読み取り処理部
９６  画像処理部
９８、１０２  ＡＣＳ部
１００  選択部
【図１】
2010154068.tif 000003
【図２】
2010154068.tif 000004
【図３】
2010154068.tif 000005
【図４】
2010154068.tif 000006
【図５】
2010154068.tif 000007
【図６】
2010154068.tif 000008
【図７】
2010154068.tif 000009
【図８】
2010154068.tif 000010
【図９】
2010154068.tif 000011
【図１０】
2010154068.tif 000012
【図１１】
2010154068.tif 000013
【図１２】
2010154068.tif 000014
【図１３】
2010154068.tif 000015
【図１４】
2010154068.tif 000016